(57)【要約】【課題】机上の凹凸等に伴いマウスの操作に支障を来たすことを抑制し、専門職等にある者が長時間マウスを操作したとしても、健康を損なうおそれを除去し、机上への仮止め時に不快なベタツキ感が生じたり、机上からの剥離が困難になることのないマウスパッドを提供する。【解決手段】柔軟性を有する弾性層２と、弾性層２の表面４に一体形成されてマウスを滑らかに移動させるとともに、多数のフィラー６によりマウスのボールを回転させるフィラー含有樹脂コート層５とを含み、パソコンに電気的に接続されたマウスを着脱自在に搭載する。そして、弾性層２の表面４を凹凸に形成してその十点平均粗さ（Ｒｚ）を１〜３０μｍとし、弾性層２の表面４にフィラー含有樹脂コート層５を一体化して凹凸形成し、各フィラー６の平均粒径を１〜３μｍとする。【選択図】  図１
2004240946.tif 000002
【特許請求の範囲】
【請求項１】
コンピュータのマウスを搭載するマウスパッドであって、凹凸を吸収する弾性層と、この弾性層の表面に形成され、マウスを滑らかに移動させるとともに、フィラーによりマウスのボールの回転を確保するフィラー含有樹脂コート層とを含んでなることを特徴とするマウスパッド。
【請求項２】
弾性層の裏面に、自着性の鏡面仕上げ層を備えてなる請求項１記載のマウスパッド。
【請求項３】
弾性層を、シリコーンゴムとしてそのショア硬度値を５０°〜９０°Ｈｓとした請求項１又は２記載のマウスパッド。
【請求項４】
弾性層の表面を凹凸にしてその十点平均粗さ（Ｒｚ）を１〜３０μｍとし、この弾性層の表面とフィラー含有樹脂コート層とを一体化して凹凸に形成し、フィラー含有樹脂コート層におけるフィラーの平均粒径を０．５〜９μｍとした請求項１、２、又は３記載のマウスパッド。
【発明の詳細な説明】
【０００１】
【発明の属する技術分野】
本発明は、パーソナルコンピュータ等の入力手段であるマウスのマウスパッドに関するものである。
【０００２】
【従来の技術】
パーソナルコンピュータ（以下、パソコンという）２０の入力手段としては、図４に示すように、多数のキーを並べ備えたキーボード２１が一般に知られているが、直感的に操作したり、素早く簡単に操作する場合には、マウス１０が使用される。
この種のマウス１０は、図４や図５に示すように、パソコン２０に接続される手のひらサイズの中空のケース１１を備え、このケース１１の裏面中央の凹んだ穴に、回転するボール１２がリング形の裏蓋１３を介して嵌合支持されており、ケース１１の表面前方には、押圧操作可能な左ボタン１４と右ボタン１５とが左右に並べて配設されている。ケース１１は、図示しない複数のローラやロータリエンコーダ等が内蔵され、裏面の前後左右には、摩擦抵抗を減少させる脚１６がそれぞれ貼着されている。
【０００３】
ところで、マウス１０はその滑らかな移動を確保する観点から、机上のマウスパッド１に配置されるが、この種のマウスパッド１としては、例えばＰＥＴ等からなる合成樹脂フィルムを備え、この合成樹脂フィルムの裏面に、机上に粘着する別体の粘着層が積層されており、合成樹脂フィルムの表面には、マウス１０のボール１２に摺接される別体のハードコート層が積層されている（特許文献１参照）。
【０００４】
【特許文献１】
実開平５‐１７７３３号公報
【０００５】
【発明が解決しようとする課題】
従来のマウスパッド１は、以上のように構成され、合成樹脂フィルムの厚さが１００μｍ程度なので、机上の凹凸等に伴いマウス１０の移動操作に支障を来たすことが少なくないという問題がある。また、マウスパッド１の滑り性は、一般の事務職にある者がマウス１０を操作する場合を基準に設定され、設計・開発等の専門職にある者がマウス１０を多用する場合を特に想定していないので、専門職にある者が長時間マウス１０を操作すると、手首等に負担がかかり、健康を損なうおそれがある。さらに、合成樹脂フィルムの裏面に粘着層が単に貼着されるに止まるので、マウスパッド１の位置ズレを防止することができるものの、机上への仮止め時に不快なベタツキ感が指に生じたり、机上からの剥離が困難になる場合がある。
【０００６】
本発明は、上記に鑑みなされたもので、机上の凹凸等に伴いマウスの操作に支障を来たすことを抑制防止し、専門職等にある者が長時間マウスを操作したとしても、健康を損なうおそれを排除し、しかも、机上への仮止め時に不快なベタツキ感が生じたり、机上からの剥離が困難になることのないマウスパッドを提供することを目的としている。
【０００７】
【課題を解決するための手段】
本発明においては、上記課題を達成するため、コンピュータのマウスを搭載するものであって、
凹凸を吸収する弾性層と、この弾性層の表面に形成され、マウスを滑らかに移動させるとともに、フィラーによりマウスのボールの回転を確保するフィラー含有樹脂コート層とを含んでなることを特徴としている。
なお、弾性層の裏面に、自着性の鏡面仕上げ層を備えることが好ましい。
また、弾性層を、シリコーンゴムとしてそのショア硬度値を５０°〜９０°Ｈｓとすることが好ましい。
【０００８】
さらに、弾性層の表面を凹凸にしてその十点平均粗さ（Ｒｚ）を１〜３０μｍとし、この弾性層の表面とフィラー含有樹脂コート層とを一体化して凹凸に形成し、フィラー含有樹脂コート層におけるフィラーの平均粒径を０．５〜９μｍとすることができる。
【０００９】
ここで特許請求の範囲におけるコンピュータは、マウスが接続可能であれば、デスクトップ型でも良いし、ノート型でも良い。十点平均粗さ（Ｒｚ）とは、代表的な表面粗さの求め方の一つであり、粗さ曲線からその平均線の方向に基準長さだけを抜き取り、この抜き取り部分の平均線から縦倍率の方向に測定した最も高い山頂から５番目までの山頂の標高の絶対値の平均値と、最も低い谷底から５番目までの谷底の標高の絶対値の平均値との和を求め、この値をマイクロメートルで表したものをいう。
【００１０】
フィラー含有樹脂コート層は、ウレタン樹脂バインダにシリカ粒子を含むものでも良い。このフィラー含有樹脂コート層には、帯電を防止するカーボン粒子等の添加剤を適宜含有させることができる。さらに、マウスパッドは、平面円形、楕円形、楕球形、矩形、多角形等に適宜形成することができ、オプティカルマウスに対応するものでも良いし、そうでなくても良い。
【００１１】
本発明によれば、弾性層が所定の厚さを有して凹凸等を吸収するので、この凹凸等のマウスに対する悪影響を抑制することができ、マウスの操作に支障を来たすのを防ぐことができる。また、フィラー含有樹脂コート層がマウスのケース裏面に滑り性を付与し、フィラーが摩擦力をマウスのボールに付与するので、マウスの操作性が向上する。
また、弾性層の裏面に鏡面仕上げ層を形成してそのタックを利用すれば、マウスパッドのずれを抑制することができる。
【００１２】
【発明の実施の形態】
以下、図面を参照して本発明の好ましい実施形態を説明すると、本実施形態におけるマウスパッドは、図１や図２に示すように、柔軟性を有する弾性層２と、この弾性層２の表面４に一体形成されてマウス１０を滑らかに移動させるとともに、多数のフィラー６によりマウス１０のボール１２を回転させるフィラー含有樹脂コート層５とを含み、パソコン２０に電気的に接続されたマウス１０を着脱自在に搭載するようにしている。
【００１３】
弾性層２は、図１に示すように、エラストマー等の所定の材料を使用して基本的には断面略板形に成形され、裏面には、机上に接触する鏡面仕上げ層３が一体化される。この弾性層２の材料としては、特に限定されるものではなく、例えばスポンジ、天然ゴム、各種の合成ゴム、フッ素ゴム、シリコーンゴム等があげられる。これらの中でも、耐候性、難燃性、接着性、圧縮特性、電気絶縁性等に優れる半透明又は黒色の着色シリコーンゴムが最適である。
【００１４】
弾性層２の厚さは、１〜３ｍｍの範囲内、好ましくは２ｍｍに調整される。これは、１ｍｍ未満の場合には、机上の凹凸等を十分に吸収することができず、マウス１０の円滑な移動に支障を来たすおそれがあるからである。逆に３ｍｍを超える場合には、必要以上に厚くなり過ぎ、製造やマウス１０の操作に支障を来たすからである。弾性層２の硬度、より具体的にはショア硬度値は、緩衝機能、成形性、取り扱い等の観点から、５０°〜９０°Ｈｓの範囲、好ましくは７５°〜８５°Ｈｓが良い。
【００１５】
弾性層２の裏面には、２０μｍ程度の厚さを有する透明の鏡面仕上げ層３が一体形成され、このツヤ加工された自着性の鏡面仕上げ層３が机上に密着し、滑り止め機能を発揮してマウス１０の操作に資するよう機能する。また、弾性層２の表面４は、連続した凹凸にエンボス加工され、十点平均粗さ（Ｒｚ）が１〜３０μｍの範囲、好ましくは３〜５μｍの範囲に設定される。これは、表面４の十点平均粗さ（Ｒｚ）が１〜３０μｍの範囲から逸脱すると、マウス１０が必要以上に滑り過ぎ、ボール１２が空転する等して操作に支障を来たすからである。
【００１６】
フィラー含有樹脂コート層５は、例えばシリコーン系樹脂バインダ、ポリエステル・ウレタン樹脂バインダ、ウレタン樹脂バインダに、所定のフィラー６や必要なカーボン粒子等が多数含有されてなる。このフィラー含有樹脂コート層５は、スクリーン印刷やスプレイ塗装等の方法により、弾性層２の凹凸の表面４に例えば７〜１１μｍ、好ましくは７〜９μｍ程度の厚さ（深さ）で一体化され、連続した凹凸を呈して高低差を形成する。フィラー含有樹脂コート層５が７〜１１μｍの厚さなのは、厚さが７μｍ未満の場合には、バインダ機能の喪失とコートムラとを招くからである。逆に、厚さが１１μｍを越える場合には、弾性層表面のエンボスを埋めてしまうおそれがあるという理由に基づく。
【００１７】
フィラー６は、図２に示すように、例えば平均粒径が０．５〜９μｍ、好ましくは１〜３μｍの微細なフッ素樹脂粒子、シリカ粒子、アセタール粒子からなり、フィラー含有樹脂コート層５から部分的に露出して高低差を形成し、摺接するマウス１０のボール１２に摩擦力を付与して良好な回転や操作感を確保する。
【００１８】
上記構成によれば、弾性層２が１〜３ｍｍの厚さを有するエラストマー等からなるので、机上の凹凸等を十分に吸収することができる。したがって、マウス１０の円滑な移動操作に支障を来たすのをきわめて有効に抑制防止し、マウス１０の誤作動を排除することができる。また、フィラー含有樹脂コート層５がマウス１０のケース１１に滑り性を付与し、多数のフィラー６が回転用の摩擦力をマウス１０のボール１２に付与するので、従来例よりもマウス１０の操作性を向上させることができる。
【００１９】
係る効果により、例え設計等の専門職にある者が長時間マウス１０を操作したとしても、手首等に負担がかかるのを有効に抑制することができる。特に、フィラー含有樹脂コート層５を、ポリエステル・ウレタン樹脂バインダに、多数のフッ素樹脂粒子を含有させることにより形成すれば、動荷重や静荷重が小さくなり、マウス１０の操作性の著しい向上が期待できる。
【００２０】
また、弾性層２の裏面に剥離紙付きの粘着層が粘着されるのではなく、ベタツクことのない鏡面仕上げ層３が金型により転写形成等されるので、マウスパッド１の位置ズレを防止することができる他、不快なベタツキ感が指に生じたり、机上からの剥離が困難になることもない。さらに、弾性層２、鏡面仕上げ層３、及びフィラー含有樹脂コート層５が三層構造を成すのではなく、弾性層２、鏡面仕上げ層３、及びフィラー含有樹脂コート層５が一体化して単層を成すので、弾性層２、鏡面仕上げ層３、又はフィラー含有樹脂コート層５の部分劣化に伴い、マウスパッド１に反りや剥離が生じるのを簡易な構成で有効に防止することが可能になる。
【００２１】
【実施例】
以下、図３に基づき、本発明に係るマウスパッドの実施例について比較例と共に説明する。
実施例１、比較例１のマウスパッドに関し、図３に示す測定試験をそれぞれ実施し、フィラー含有樹脂コート層と滑り性の関係を調べてその結果を表１にまとめた。
【００２２】
実施例１
マウスパッドの弾性層を半透明白のシリコーンゴム〔東レダウコーニングシリコーン株式会社製  商品名ＳＥ１１８８〕とし、マウスパッドの半透明のフィラー含有樹脂コート層を、ポリエステル・ウレタン樹脂バインダにフッ素樹脂粒子を含有させることにより形成した。シリコーンゴムは、厚さ１．０ｍｍとし、ショア硬度値を８０°Ｈｓとした。
比較例１
マウスパッドを既存の汎用品〔エレコム株式会社製  一般グレード〕とした。
【００２３】
測定試験
図３に示すように、マウスパッド上に重さ７５ｇのマウスを配置し、このマウスの先端部にワイヤーをテンションローラを介して接続し、ワイヤーを引っ張ってマウスを所定の試験速度で移動させるようにした。
マウスはエレコムＭ‐Ｎ１ＵＧＹホイール付きマウスとし、試験速度は１０ｍｍ／分とした。
【００２４】
試験場所の標準状態（ＪＩＳ  Ｚ  ８７０３）
温度      ２３℃（温度５級）
湿度      ５０％（湿度１０級）
解析値については、剥離接着強さ試験方法（ＪＩＳ  Ｚ  ６８５４‐１）の８項を参照。
【００２５】
【表１】
2004240946.tif 000003
【００２６】
試験結果
表１から明らかなように、実施例１のマウスパッドの滑り性については、実用上問題のない良好な結果を得ることができた。特に、実施例１のマウスパッドは、滑り性が良いといわれる２０ｇ以下の静荷重であり、きわめて良好だった。
【００２７】
【発明の効果】
以上のように本発明によれば、机上の凹凸等に伴いマウスの操作に支障を来たすことを抑制防止し、しかも、専門職等にある者が長時間マウスを操作したとしても、健康を損なうおそれを有効に除去することができるという効果がある。また、マウスパッドの机上への仮止め時に不快なベタツキ感が生じたり、机上からの剥離が困難になるのを有効に抑制することができる。
【図面の簡単な説明】
【図１】本発明に係るマウスパッドの実施形態を示す模式断面説明図である。
【図２】本発明に係るマウスパッドの実施形態を示す要部断面説明図である。
【図３】本発明に係るマウスパッドの実施例における測定試験の内容を示す説明図である。
【図４】パソコンとその周辺機器を示す斜視説明図である。
【図５】マウスの裏面を示す分解斜視説明図である。
【符号の説明】
１          マウスパッド
２          弾性層
４          弾性層の表面
５          フィラー含有樹脂コート層
６          フィラー
１０        マウス
１２        ボール
２０        パーソナルコンピュータ（パソコン）
【図１】
2004240946.tif 000004
【図２】
2004240946.tif 000005
【図３】
2004240946.tif 000006
【図４】
2004240946.tif 000007
【図５】
2004240946.tif 000008